(57)【要約】【課題】  汎用の制御動作情報送信手段を用いることができて、システムの信用性を高めることができる遊技場の情報管理装置を提供すること。【解決手段】  管理装置は、無線リーダから送信された送信データについて制御動作情報が検知されるか否かを判定し（Ｂ０２）、制御動作情報が検知された場合に、当該送信データについて操作者情報が検知されるか否かを判定し（Ｂ０３）、操作者情報が検知された場合に限り正規の操作と判定し（Ｂ０３をＮＯ）、制御動作情報に対応する正規の制御動作を実行する一方（Ｂ０４）、操作者情報が検知されない場合は正規の操作でないと判定し（Ｂ０３をＹＥＳ）、制御動作情報に対応する制御動作は実行しないものとする。【選択図】          図１７
2006116191.tif 000002
【特許請求の範囲】
【請求項１】
複数の遊技台が並設された遊技設備が設置された遊技場の情報管理装置であって、前記複数の遊技台の各々に関する制御動作情報を無線により送信する制御動作情報送信手段と、操作者が携帯可能であって、操作者毎に識別可能である固有の操作者情報を無線により送信する携帯式の操作者情報送信手段と、前記制御動作情報送信手段から送信された制御動作情報に対応する制御動作を実行するための管理装置と、前記複数の遊技台に対応付けして複数設置されると共に、前記制御動作情報並びに前記操作者情報を受信可能であって、前記制御動作情報及び／又は前記操作者情報が受信された場合には受信された前記制御動作情報及び／又は前記操作者情報を、前記制御動作情報が受信されない場合には前記制御動作情報についてデータなしを特定できる情報を、前記操作者情報が受信されない場合には前記操作者情報についてデータなしを特定できる情報を、送信データとして前記管理装置に出力する無線リーダとからなり、
前記管理装置は、前記無線リーダから送信された前記送信データについて前記制御動作情報が検知されるか否かを判定し、前記制御動作情報が検知された場合に、当該送信データについて前記操作者情報が検知されるか否かを判定し、前記操作者情報が検知された場合に限り正規の操作と判定し、前記制御動作情報に対応する正規の制御動作を実行する一方、前記操作者情報が検知されない場合は正規の操作でないと判定し、前記制御動作情報に対応する制御動作は実行しないものであることを特徴とする遊技場の情報管理装置。
【請求項２】
前記制御動作情報送信手段は、遠隔操作を行うための複数の操作スイッチを有する遠隔操作装置であって、前記複数の操作スイッチのオンオフ状態により前記制御動作情報の種別を生成し、遠隔操作装置であることを表すリモコン識別子と前記制御動作情報とを一緒に含むデータを無線により前記無線リーダに送信するための無線送信部を備えるものであり、
前記管理装置は、前記無線リーダから送信された前記送信データについて前記制御動作情報が検知されるか否かを判定し、前記制御動作情報が検知された場合に、前記制御動作情報の種別が予め定めた種別であるか否かを判定し、予め定めた種別である場合、当該送信データについて前記操作者情報が検知されるか否かを判定し、前記操作者情報が検知された場合に、検出された前記操作者情報が予め定めた特定操作者情報であるか否かを判定し、予め定めた特定操作者情報である場合は、前記特定操作者情報に対応する正規の制御動作を実行する一方、予め定めた特定操作者情報でない場合は、前記正規の制御動作とは異なる予め定めた正規でない場合の制御動作を実行する手段を備えたことを特徴とする請求項１に記載の遊技場の情報管理装置。
【請求項３】
前記制御動作情報送信手段は、遊技台に対応して取り付け／取り外しがなされるものであると共に遊技状態が記された表示プレートであって、前記表示プレートは、表示プレートであることを表すプレート識別子と前記遊技状態に対応した制御動作情報とを一緒に含むデータを無線により前記無線リーダに送信するための無線送信部を備えるものであり、
前記管理装置は、前記無線リーダから送信された前記送信データについて前記制御動作情報が検知されるか否かを判定し、前記制御動作情報が検知された場合に、当該送信データについて前記操作者情報が検知されるか否かを判定し、前記操作者情報が検知された場合に限り正規の操作と判定し、前記制御動作情報に対応する正規の制御動作を実行する一方、前記操作者情報が検知されない場合は正規の操作でないと判定し、前記正規の制御動作とは異なる予め定めた正規でない場合の制御動作を実行する手段を備えたことを特徴とする請求項１又は２に記載の遊技場の情報管理装置。
【発明の詳細な説明】
【技術分野】
【０００１】
本発明は、複数の遊技台が並設された遊技設備と、複数の遊技台の各々に関する制御動作情報を無線により送信する制御動作情報送信手段と、複数の遊技台に対応して設置されると共に、制御動作情報送信手段から送信された制御動作情報を受信するための無線リーダと、無線リーダから送られた制御動作情報に対応する制御動作を実行するための管理装置とからなる遊技場の情報管理装置に関する。
【背景技術】
【０００２】
経営分析装置に従業者名（リモコン操作を行う係員名）とリモコンＩＤとを対応付けて記憶させておき、リモコン装置の操作ボタンを操作して赤外線を発射すると、操作項目に予め対応させた所定の操作コード、リモコンＩＤを含む赤外線が出力され、遊技機のパネルを開放する等の操作が遠隔的に行われると共に、遊技機からネットワーク網を介して経営分析装置に遊技機の台番号、リモコンＩＤ、操作コードが送信され、リモコン来歴ファイルに操作イベントの発生毎にリモコン来歴レコードとして格納され、経営分析装置では、各遊技機から収集したリモコン来歴レコードに基づいて、リモコン使用リスト、リモコン使用状況等の画面を作成し、各遊技機のリモコン操作来歴や各係員の操作履歴等、視覚的に容易にリモコン装置の操作状況を把握できるようにした遊技場の情報処理装置が提案されている（例えば、特許文献１参照）。
【０００３】
一方、パチンコ遊技機やスロットマシン等が設置された遊技場において、ＩＤタグ［例えば、ＲＦＩＤ（Ｒａｄｉｏ  Ｆｒｅｑｕｅｎｃｙ  Ｉｄｅｎｔｉｆｉｃａｔｉｏｎ）チップ］から無線送信されたＩＤ（識別情報）を受信する無線リーダを、各遊技機（あるいは遊技台）に対応して設置することが知られている（例えば、特許文献２或いは特許文献３参照）。特許文献２に記載のものでは、遊技制御基板に取り付けられたＩＤタグのＩＤが正規であるかを監視しており、特許文献３に記載のものでは、遊技者が所持する携帯電話機に取り付けられたＩＤタグのＩＤを検出して遊技者を特定している。また、遊技場内に設置された遊技カード発券機に上記無線リーダを設ける一方、従業員の手首に装着するリストバンドに上記ＲＦＩＤチップを内蔵させ、遊技カード発券機にてリストバンドに内蔵されたＲＦＩＤから無線送信されたＩＤを認証に用いる技術事項が提示されている（例えば、特許文献４参照）。
【０００４】
【特許文献１】特開平９−１４０８９４号公報
【特許文献２】特開２０００−２８８２１８号公報（段落００４０、段落００８６−段落００８７、図９及び図１０）
【特許文献３】特開２００３−１０５１９号公報（段落００２８−段落００３２）
【特許文献４】特開２００１−２６２８８５号公報（段落００３６−段落００３８及び段落００５９）
【発明の開示】
【発明が解決しようとする課題】
【０００５】
上記の特許文献１に記載されるようなリモコンによる操作来歴の管理システムにあっては、リモコン操作を行う操作者名とリモコンＩＤとが対応付けて記憶されているために、操作者は自分専用のリモコンを使用することを義務づけられる。したがって、万一自分専用のリモコンが故障した等、専用のリモコンが使用できない状況時には不都合が生じる。また、特許文献１に記載の管理システムは、リモコン専用のシステムであるため、リモコン以外のもの、例えば、遊技状態が記された表示プレートを直接用いることはできない。
【０００６】
本発明の目的は、リモコンに限らず、複数の遊技台の各々に関する制御動作情報を無線により送信する汎用の制御動作情報送信手段を用いることができて、制御動作情報送信手段による制御動作情報が遊技場の従業員によって行われた正規のものなのか、遊技場の従業員以外の者によって行われた正規でないものなのかを判定できて、信用性を高めることができる遊技場の情報管理装置を提供することにある。
【課題を解決するための手段】
【０００７】
請求項１に係る遊技場の情報管理装置は、上記課題を解決するために、前記複数の遊技台の各々に関する制御動作情報を無線により送信する制御動作情報送信手段と、操作者が携帯可能であって、操作者毎に識別可能である固有の操作者情報を無線により送信する携帯式の操作者情報送信手段と、前記制御動作情報送信手段から送信された制御動作情報に対応する制御動作を実行するための管理装置と、前記複数の遊技台に対応付けして複数設置されると共に、前記制御動作情報並びに前記操作者情報を受信可能であって、前記制御動作情報及び／又は前記操作者情報が受信された場合には受信された前記制御動作情報及び／又は前記操作者情報を、前記制御動作情報が受信されない場合には前記制御動作情報についてデータなしを特定できる情報を、前記操作者情報が受信されない場合には前記操作者情報についてデータなしを特定できる情報を、送信データとして前記管理装置に出力する無線リーダとからなり、前記管理装置は、前記無線リーダから送信された前記送信データについて前記制御動作情報が検知されるか否かを判定し、前記制御動作情報が検知された場合に、当該送信データについて前記操作者情報が検知されるか否かを判定し、前記操作者情報が検知された場合に限り正規の操作と判定し、前記制御動作情報に対応する正規の制御動作を実行する一方、前記操作者情報が検知されない場合は正規の操作でないと判定し、前記制御動作情報に対応する制御動作は実行しないものであることを特徴とする。
【０００８】
請求項２に係る遊技場の情報管理装置は、請求項１に記載のものにおいて、前記制御動作情報送信手段は、遠隔操作を行うための複数の操作スイッチを有する遠隔操作装置であって、前記複数の操作スイッチのオンオフ状態により前記制御動作情報の種別を生成し、遠隔操作装置であることを表すリモコン識別子と前記制御動作情報とを一緒に含むデータを無線により前記無線リーダに送信するための無線送信部を備えるものであり、前記管理装置は、前記無線リーダから送信された前記送信データについて前記制御動作情報が検知されるか否かを判定し、前記制御動作情報が検知された場合に、前記制御動作情報の種別が予め定めた種別であるか否かを判定し、予め定めた種別である場合、当該送信データについて前記操作者情報が検知されるか否かを判定し、前記操作者情報が検知された場合に、検出された前記操作者情報が予め定めた特定操作者情報であるか否かを判定し、予め定めた特定操作者情報である場合は、前記特定操作者情報に対応する正規の制御動作を実行する一方、予め定めた特定操作者情報でない場合は、前記正規の制御動作とは異なる予め定めた正規でない場合の制御動作を実行する手段を備えたことを特徴とするものである。
【０００９】
請求項３に係る遊技場の情報管理装置は、請求項１又は２に記載のものにおいて、前記制御動作情報送信手段は、遊技台に対応して取り付け／取り外しがなされるものであると共に遊技状態が記された表示プレートであって、前記表示プレートは、表示プレートであることを表すプレート識別子と前記遊技状態に対応した制御動作情報とを一緒に含むデータを無線により前記無線リーダに送信するための無線送信部を備えるものであり、前記管理装置は、前記無線リーダから送信された前記送信データについて前記制御動作情報が検知されるか否かを判定し、前記制御動作情報が検知された場合に、当該送信データについて前記操作者情報が検知されるか否かを判定し、前記操作者情報が検知された場合に限り正規の操作と判定し、前記制御動作情報に対応する正規の制御動作を実行する一方、前記操作者情報が検知されない場合は正規の操作でないと判定し、前記正規の制御動作とは異なる予め定めた正規でない場合の制御動作を実行する手段を備えたことを特徴とするものである。
【発明の効果】
【００１０】
請求項１に係る遊技場の情報管理装置によれば、複数の遊技台の各々に関する制御動作情報を無線により送信する汎用の制御動作情報送信手段を用いることができ、制御動作情報送信手段による制御動作情報が遊技場の従業員によって行われた正規のものなのか、遊技場の従業員以外の者によって行われた正規でないものなのかを判定できるため、信用性を高めることができる。
【００１１】
請求項２に係る遊技場の情報管理装置によれば、管理装置は、無線リーダから送信された送信データについて制御動作情報が検知されるか否かを判定し、制御動作情報が検知された場合に、制御動作情報の種別が予め定めた種別であるか否かを判定し、予め定めた種別である場合、当該送信データについて操作者情報が検知されるか否かを判定し、操作者情報が検知された場合に、検出された操作者情報が予め定めた特定操作者情報であるか否かを判定し、予め定めた特定操作者情報である場合は、特定操作者情報に対応する正規の制御動作を実行する一方、予め定めた特定操作者情報でない場合は、正規の制御動作とは異なる予め定めた正規でない場合の制御動作を実行するので、同じ遠隔操作装置を使用して同じ操作を行っても、操作者の相違によって異なる制御動作を実行することができる。
【００１２】
請求項３に係る遊技場の情報管理装置によれば、例えば、遊技者等の操作者以外の者が、勝手に表示プレートを隣の遊技台に移動させた場合、管理装置において、操作者情報は検知されず制御動作情報のみが検知されることになるため、正規の操作でないと判定できる。
【発明を実施するための最良の形態】
【００１３】
以下、本発明の実施の形態を図面を参照して説明する。図１は、本発明の実施形態に係る遊技場の情報管理装置１の要部ブロック図である。遊技場内には、複数の遊技台２、２、…が並設されて遊技設備（図１では代表して１つのみ図示しているが、実際には多数の遊技設備が遊技場に配置されている）が構成されている。また、遊技設備には、複数の遊技台２、２、…に対応付けして複数の無線リーダ３、３、…が設置されている。なお、以下に説明する実施形態では、無線リーダ３、３、…は各遊技台２、２、…に対応して１つずつ設けられている。一方、遊技場の管理室には管理装置４が配設されている。管理装置４は、伝送路（例えば、ＬＡＮ）５を通じて各無線リーダ３、３、…に接続され、相互にデータの授受が行われるようになっている。
【００１４】
遠隔操作装置（以下、リモコン装置という）６は、本発明における制御動作情報送信手段のうちの一具体的要素であり、複数の遊技台２、２、…の各々に関して、制御動作情報の送信を遠隔的に操作するもので、操作者たる従業員（遊技場を巡回している係員）が携帯する形式のものである。ＩＤタグ７は、ＲＦＩＤ（Ｒａｄｉｏ  Ｆｒｅｑｕｅｎｃｙ  Ｉｄｅｎｔｉｆｉｃａｔｉｏｎ）で構成されており、予め付与された自己を識別可能とする固有のＩＤを無線リーダ３へ無線送信するものである。
【００１５】
リモコン装置６は、前記ＩＤタグ７と制御動作情報の種別の設定を行うための複数の操作スイッチ（例えば、押しボタン式のスイッチＡ及びスイッチＢ）８とを有する。操作者が、各スイッチＡ，Ｂを操作して操作対象の遊技台にリモコン装置６を近づけると、リモコン装置６のＩＤタグ７は、リモコン装置６であることを表すリモコン識別子（ＲＣ）と、自己を識別可能とする固有のＩＤと、複数の操作スイッチ８のオンオフ状態（スイッチＡ，Ｂのオンオフ状態）とを一緒に含むデータを無線リーダ３へ送信する。なお、本実施形態では、リモコン装置６の固有ＩＤは管理装置４が実行する制御動作には関与しないものである。従って、リモコン装置６は固有ＩＤを送信しない構成としてもよい。
【００１６】
表示プレート９は、本発明における制御動作情報送信手段のうちのもう一つの具体的要素をなしている。表示プレート９は、その遊技場における独自の遊技ルールに基づいて決めた遊技台の遊技状態、例えば、「大当り」、「ラッキーナンバー」、「打止」、「食事中」等の文字がそれぞれ記されたプラスチック製のプレートである。係員はこれらの表示プレートを持って遊技場内を巡回し、係員の判断により該当する遊技状態の遊技台があれば該当する遊技状態が記された表示プレートを遊技台の上部に差し込んでその遊技台を明確にしている。また、係員の判断により該当する遊技状態が終了していれば、該当する遊技状態が記された表示プレートは遊技台の上部から取り外される。以下、この実施形態では、説明を簡潔にするために、表示プレート６は一例として「ラッキーナンバー」表示プレートであるものとして説明する。表示プレート６には、各々が識別可能な固有のＩＤを無線送信するＩＤタグ７が１つずつ付設されている。ＩＤタグ７は、表示プレートであることを表すプレート識別子（ＰＬ）と、自己を識別可能とする固有のＩＤとを一緒に含むデータを無線リーダ３へ送信する。なお、本実施形態では、表示プレート７は「ラッキーナンバー」表示プレートであるものとして説明する関係上、表示プレートであることを表すプレート識別子（ＰＬ）を直接的に制御動作情報として扱うことになる。また、表示プレート７の固有ＩＤは管理装置４が実行する制御動作には関与しないものである。なお、「大当り」、「ラッキーナンバー」、「打止」、「食事中」等、種類の異なる複数種の表示プレートを制御動作情報送信手段として使用する場合には、プレート識別子（ＰＬ）は表示プレートであることを表す情報として機能するのみとなるため、表示プレート７の固有ＩＤを「大当り」、「ラッキーナンバー」、「打止」、「食事中」のいずれかに割り当てておき、固有ＩＤを判定することにより制御動作情報の種別を特定するようにする。
【００１７】
操作者情報送信手段１０は、操作者たる従業員が携帯可能であって（例えば、従業員の手首に装着するリストバンド式又はカード）、操作者毎に識別可能である固有の操作者情報を無線により送信するものである。操作者情報送信手段１０（以下、リストバンドという）には、各々が識別可能な固有の操作者コード又は操作者番号（前記操作者情報）を無線送信するＩＤタグ７が１つずつ付設されている。ＩＤタグ７は、リストバンドであることを表す識別子（ＩＤ）と、自己を識別可能とする固有の操作者番号（前記操作者情報）とを一緒に含むデータを無線リーダ３へ送信する。
【００１８】
無線リーダ３は、無線送受信範囲内にリストバンド１０、リモコン装置６並びに表示プレート８が１乃至複数ある場合に、無線送受信範囲内の全てのＩＤタグ７から送信された全てのデータを無線受信可能である。
【００１９】
図２は、リストバンド１０、リモコン装置６並びに表示プレート８から無線リーダ３へ送信されるデータの構成を示す図である。本実施形態では、各データは６文字のデータで構成されている。リストバンド１０の場合、先頭の２文字分がリストバンドであることを表すリモコン識別子「ＩＤ」、後の４文字分が自己を識別可能とする固有の操作者番号、例えば、「０００１」である。リモコン装置６の場合、先頭の２文字分がリモコン装置であることを表すリモコン識別子「ＲＣ」、リモコン識別子「ＲＣ」の後の３文字分が自己を識別可能とする固有のＩＤ、例えば、「１２３」、最後の１文字分が操作スイッチ８のスイッチＡ，Ｂのオンオフ状態である。最後の１文字分の具体的な内容は、「０」の場合はスイッチＡがオフかつスイッチＢがオフで操作内容は「制御動作なし」であり、「１」の場合はスイッチＡがオフかつスイッチＢがオンで、これによって指令される正規の制御動作内容は「扉開放」であり、「２」の場合はスイッチＡがオンかつスイッチＢがオフで、これによって指令される正規の制御動作内容は「ラッキーナンバーである旨の店内放送」である。表示プレート９の場合、先頭の２文字分が表示プレートであることを表すプレート識別子「ＰＬ」、後の４文字分が自己を識別可能とする固有のＩＤ、例えば、「０００１」である。
【００２０】
管理装置４は、従来の管理装置と同一であり、詳細な説明は省略する。管理装置４は、ＣＰＵ、ＲＯＭ及びＲＡＭよりなるメモリ、通信インタフェースを備えた制御部、ＣＲＴ或いは液晶パネル等からなる表示画面を有する表示装置、操作入力のためのキーボード装置及びマウスで構成された手動入力部、プリンタ、音声合成によって店内放送を行うための店内放送装置及びデータ記憶用の記憶装置等を含んで構成されている。管理装置４は遊技場の遊技設備に設置された多数の遊技台２、２、…に対して設けられた無線リーダ３、３、…から必要な送信データ（後述する制御動作情報、操作者情報、データなし等）を受信し、送信データについて制御動作情報が検知されるか否かを判定し、制御動作情報が検知された場合に、当該送信データについて操作者情報が検知されるか否かを判定し、操作者情報が検知された場合に限り正規の操作と判定し、制御動作情報に対応する正規の制御動作を実行する。例えば、遊技機の扉を開放したり、店内放送装置を介して遊技台の遊技状態（例えば、ラッキーナンバーである旨）を店内放送したり、係員に＊＊番台の遊技台に行くように指示する旨の店内放送をしたりする。
【００２１】
管理装置４のメモリには、リストバンド１０に設けられたＩＤタグ７の操作者番号に対応付けて当該リストバンド１０を携帯する操作者の氏名を記憶させた操作者番号／操作者名記憶テーブルが格納されている。すなわち、操作者番号／操作者名記憶テーブルは、どのリストバンド１０をどの従業員が使用するかを登録しておくためのもので、リストバンド１０毎に１つのレコードが作成されて操作者番号／操作者名記憶テーブルに格納される。図３は、管理装置４のメモリに設けられた操作者番号／操作者名記憶テーブルの一態様を示す図である。この例では、操作者番号「０００１」のリストバンド１０は「鈴木」なる従業員（操作者）が使用し、操作者番号「０００２」のリストバンド１０は「柴田」なる従業員（操作者）が使用し、操作者番号「５０００」のリストバンド１０は「見習い店員」の従業員（操作者）が使用することを示している。
【００２２】
また、管理装置４のメモリには、リモコン装置６の操作スイッチ８のオンオフ状態に対応付けて操作項目名を記憶させた操作項目名記憶テーブルが格納されている。図４は、管理装置４のメモリに設けられた操作項目名記憶テーブルの一態様を示す図である。この例では、操作スイッチ８の操作内容が「０」では「制御動作なし」であり、操作内容が「１」では「扉開放」であり、操作内容が「２」では「ラッキーナンバーの店内放送」であることを示しており、このようにリモコン装置６による操作内容に対応した管理装置４の制御動作内容としての操作項目名が記憶されている。
【００２３】
また、管理装置４には、無線リーダ３から送信された送信データについて制御動作情報が検知されるか否かを判定し、制御動作情報が検知された場合に、当該送信データについて操作者情報が検知されるか否かを判定し、操作者情報が検知された場合に限り正規の操作と判定し、制御動作情報に対応する正規の制御動作を実行する一方、操作者情報が検知されない場合は正規の操作でないと判定し、制御動作情報に対応する制御動作は実行しない処理手段が設けられている（後述の図１７のフローチャートに示す制御動作処理）。
【００２４】
図５は、リモコン装置６に設けられたＩＤタグ７及び遊技台２に設けられた無線リーダ３のブロック図である。まず、ＩＤタグ７は、無線リーダ３との間で無線による電源を発生させるための電波の受信と無線リーダ３に対して必要データの送信を行うためのアンテナ１１、データを搬送波に乗せて送信を行うための無線通信部１２、受信した電波を基に回路電源を発生させる電源部１３、通信内容の制御を行う制御部１４、固有のＩＤが格納されている記憶部１５を備えている。リモコン装置６に設けられた操作スイッチ８（スイッチＡ、スイッチＢ）は、制御部１４に接続され、操作スイッチ８のオンオフ状態が制御部１４に入力されるように構成されている。
【００２５】
無線リーダ３は、ＩＤタグ７との間で無線による電源を発生させるための電波の送信とＩＤタグ７から送信されたデータの受信を行うためのアンテナ１６、搬送波の生成や受信した送信データを取り込むための無線通信部１７、受信したデータを送信データとして管理装置４に送信するための制御部１８、無線リーダ３の自己の識別情報が格納記憶されると共に、受信したデータや処理によって作成した送信データを記憶するための記憶部（ＲＯＭ及びＲＡＭ）１９、管理装置４との間でデータ通信を行うための通信インターフェース等で構成された有線通信部２０、電源部２１を備えている。
【００２６】
無線リーダ３とリモコン装置６のＲＦＩＤ７との通信手順は次の通りである。無線リーダ３のアンテナ１６から電源発生のための電波を送信する。リモコン装置６に設けられたＩＤタグ７のアンテナ１１が無線リーダ３から送られた電波を受信する。アンテナ１１の共振作用により電源部１３にて起電力が発生し、回路が起動する。制御部１４は、記憶部１５からＩＤを読み出し、操作スイッチ８のオンオフ状態を入力し、リモコン識別子「ＲＣ」とＩＤと操作スイッチ８のオンオフ状態（スイッチＡ，Ｂのオンオフ状態）とからなるデータ（６文字）を作成し、作成したデータを無線通信部１２に出力する。無線通信部１２は搬送波にデータを乗せてアンテナ１１から無線リーダ３に送信する。無線リーダ３は、アンテナ１６で送られて来たデータを受信し、無線通信部１７を通じて受信したデータを取り込む。無線リーダ３の制御部１８は、取り込んだ送信データを記憶部１９に記憶する。
【００２７】
図６は、各遊技台に無線リーダを１つずつ設置した実施形態の遊技設備の平面図であり、図７は、図６において遊技台に対応して設置された各無線リーダによって受信されたデータを示す図である。各遊技台には各々台番号が決められている。リモコン装置６による遊技台２に対する操作は、操作スイッチ８のスイッチＡ及びスイッチＢをオンオフし、オンオフ状態を無線リーダ３に送信する。リモコン装置６による遊技台２への操作が行われた場合、リモコン装置６から送信されたデータが無線リーダ３により受信される。無線リーダ３は、データを受信すると、受信したデータを記憶すると共に管理装置４に送信データを送信する。なお、この実施形態では、無線リーダＡ、Ｂ、Ｃ、Ｄ、Ｅ…は各遊技台、１番台、２番台、３番台、４番台、５番台…に対応して１つずつ設けられている（図６参照）。管理装置４は、各無線リーダ３を１つ毎に識別可能とするべく台番号に相当してリーダ番号を付与する。本実施形態においては、１台の遊技台に対して無線リーダ３は１つであるので、台番号をリーダ番号としてそのまま用いる。
【００２８】
本実施形態においては、図６に示すように、遊技台１台毎に無線リーダがあり、無線リーダの無線通信範囲が狭く、無線リーダが設置された遊技台に１台のみを無線通信範囲としたものである。従って、無線リーダが受信するデータは、操作者たる従業員が携帯しているリストバンド１０から送信されるデータ（操作者情報を含む）と、操作者たる従業員がリモコン装置６を操作することによりリモコン装置６から送信されるデータ（ＲＣ＊＊＊Ｘ、内容は図２参照）と、操作者たる従業員が遊技台に対応して表示プレート９を差し込むことで、該表示プレート６から送信されるデータ（ＰＬ＊＊＊）との３種類となる。
【００２９】
従って、無線リーダ３が受信する送信データは１つに限らず複数となる。なお、無線リーダ３とＩＤ受信範囲内に存在する全てのＩＤタグ７とのアクセス方式は、種々考えられるが、例えば、次に述べるアクセス方式を行うものとする。例えば、ＩＤ受信範囲内にリストバンド１０、リモコン装置６並びに表示プレート９の３つが存在する場合、無線リーダ３は、最初にＩＤ送信要求をＩＤ受信範囲内に存在する全ての装置のＩＤタグ７に対して送信する。これに応じて、ＩＤ受信範囲内に存在する全ての装置のＩＤタグ７が自己のデータを同時に送信する。このとき、無線リーダ３に最初にリストバンド１０から送信されたデータ「ＩＤ０００１」が受信されたものとすると、次に、無線リーダ３は、ＩＤ送信要求を「ＩＤ０００１」以外という条件付きでＩＤ受信範囲内に存在するＩＤタグ７に対して送信する。これに応じて、ＩＤ受信範囲内に存在するリモコン装置６並びに表示プレート９の各ＩＤタグ７が自己のデータを送信する。このとき、無線リーダ３にリモコン装置６から送信されたデータ「ＲＣ００１２」が受信されたものとすると、次に、無線リーダ３は、ＩＤ送信要求を「ＩＤ０００１」、「ＲＣ００１２」以外という条件付きでＩＤ受信範囲内に存在する。これに応じて、ＩＤ受信範囲内に存在する表示プレート９のＩＤタグ７が自己のデータを送信する。このとき、無線リーダ３にデータ「ＰＬ０００１」が受信されたものとすると、次に、無線リーダ３は、ＩＤ送信要求を「ＩＤ０００１」、「ＲＣ００１２」、「ＰＬ０００１」以外という条件付きでＩＤ受信範囲内に存在する（実際は存在しない）ＩＤタグ７に対して送信する。このとき、無線リーダ３にデータが受信されなければ、ＩＤ受信範囲内に存在する全ての装置のＩＤタグ７のデータが受信されたものとみなし、データの受信を終了する。
【００３０】
図８は、無線リーダ３の記憶部１９に設定されているデータの記憶部を示す図である。データの記憶部には今回受信された複数のデータが順番に記憶される。この実施形態では、受信したデータの記憶部は６個設けられている。なお、６個のデータの記憶部をＭ（１）〜Ｍ（６）で表すものとする。
【００３１】
図５において、無線リーダ３の制御部１８は、管理装置４からの送信要求指令があると、記憶部１９に記憶されている全てのデータを送信データとして有線通信部２０を介して管理装置４に送信する。管理装置４は、送信要求指令した無線リーダ３から送られた送信データを受信すると、該送信データを記憶し、無線リーダ３のリーダ番号から台番号を特定する。したがって、台番号の遊技台に関して、どの操作者がリモコン装置６又は表示プレート９によってどのような制御動作情報を受けたのかを特定することができる。例えば、図６の３番台に対応した無線リーダ「Ｃ」から送信データとして「ＩＤ０００１」、「ＲＣ００１２」が送られたのであれば、３番台は、「鈴木」なる従業員によって「ラッキーナンバーの店内放送」が指示されたことが認識できる。
【００３２】
以上のように構成された遊技場の情報管理装置１において無線リーダ３によるデータ受信に関する処理を説明する。図９は、本実施形態において無線リーダ３の制御部１８が実行するデータ検知／送信処理のフローチャートである。無線リーダ３の制御部１８は、該処理を開始すると、まず、データを受信するタイミングであるか否かを判断する（ステップＡ０１）。ここで、データを受信するタイミングとは、予め定められた受信タイミングであり、例えば、０．５秒毎にデータの受信処理を行うものとする。データを受信するタイミングでなければステップＡ１０にジャンプする。
【００３３】
一方、データを受信するタイミングである場合、ステップＡ０２に進み、受信バッファを０クリアし（ステップＡ０２）、データの記憶部Ｍ（１）〜Ｍ（６）の内容を全て０クリアする（ステップＡ０３）。次いで、今回の受信データの書込場所を指定するためにポインタＰ１に初期値「１」をセットし（ステップＡ０４）、ステップＡ０５に進んで受信バッファにリストバンド１０、リモコン装置６並びに表示プレート９から送信されるデータを受信する（ステップＡ０５）。
【００３４】
リストバンド１０を装着した店員（操作者）が携帯しているリモコン装置６がＩＤ受信範囲内にある場合、又は当該無線リーダのＩＤ受信範囲内に、リストバンド１０を装着した店員（操作者）により表示プレート９が遊技台に対応して差し込まれた場合、無線リーダ３はこれらから送信されるデータを受信することになる。例えば、３番台の遊技台で「ラッキーナンバーによる遊技状態」であることを認めた場合、リストバンド１０を装着した店員（例えば、鈴木）がリモコン装置６の操作スイッチ８のスイッチＡをオンかつスイッチＢをオフした状態で、リモコン装置６を３番台（図６参照）に近づける。すなわち、店員（鈴木）のリストバンド１０から送信されたデータ（操作者情報）「ＩＤ０００１」及びリモコン装置６から送信されたデータ（制御動作情報）「ＲＣ００１２」が当該無線リーダの無線通信部１７により無線受信されて受信バッファに取り込まれる。
【００３５】
上述の例は、リモコン装置６によって「ラッキーナンバーによる遊技状態」に対応する制御動作情報を送信する例で説明したが、リモコン装置６の代りに表示プレート９を遊技台に対応して差し込むことによって「ラッキーナンバーによる遊技状態」に対応する制御動作情報を送信することができる。すなわち、例えば、３番台の遊技台で「ラッキーナンバーによる遊技状態」であることを認めた場合、リストバンド１０を装着した店員（例えば、鈴木）が表示プレート９を３番台（図６参照）の遊技台の上部に差し込む。すなわち、店員（鈴木）のリストバンド１０から送信されたデータ（操作者情報）「ＩＤ０００１」及び表示プレート９から送信されたデータ（制御動作情報）「ＰＬ＊＊＊＊」が当該無線リーダの無線通信部１７により無線受信されて受信バッファに取り込まれる。
【００３６】
一方、当該無線リーダのＩＤ受信範囲内にリストバンド１０、リモコン装置６並びに表示プレート９が存在しない場合、ステップＡ０５において何も受信されないため、受信バッファに取り込まれる値はなく、受信バッファは０クリアされているままである。
【００３７】
ステップＡ０５でデータの受信処理を行うと、ステップＡ０６に進み、受信バッファの内容を図８のポインタＰ１の値で指定されるデータの記憶部Ｍ（Ｐ１）に記憶する（ステップＡ０６）。次いで、ポインタＰ１の値を＋１し（ステップＡ０７）、アップしたポインタＰ１の値が記憶部の個数６を超えているか否か判定し（ステップＡ０８）、ポインタＰ１の値が記憶部の個数６を超えていなければ、ステップＡ０５に戻り、先に説明したアクセス方式により、送信されるデータの受信を行う。無線リーダ３の制御部１８は、ポインタＰ１の値が記憶部の個数６を超えるまで、ステップＡ０５、ステップＡ０６、ステップＡ０７、ステップＡ０８を偽と判定する処理ループを繰り返す。したがって、図８のデータの記憶部Ｍ（１）〜Ｍ（６）の全てに受信によるデータが記憶される。なお、ポインタＰ１の値のときステップＡ０５にてデータが受信されない場合、データの記憶部Ｍ（Ｐ１）には、データなしを表すデータ「０」が記憶される。
【００３８】
ポインタＰ１の値が記憶部の個数６を超えると、データの受信が完了となり、ステップＡ０８を真と判定し、今回のデータ検知／送信処理を終了する。一例をあげると、図６の「３番台」の遊技台に対応して設置された無線リーダＣでは、記憶部Ｍ（１）にリモコン装置６から送信されたデータ、記憶部Ｍ（２）にリストバンド１０から送信されたデータ、記憶部Ｍ（３）に表示プレート９から送信されたデータ、記憶部Ｍ（４）〜記憶部Ｍ（６）にはデータなしを表すデータ「０」が記憶される。
【００３９】
一方、ステップＡ０１において、データを受信するタイミングでなければステップＡ１０にジャンプし、管理装置４からデータ送信要求指令が送られているか否かを判断する（ステップＡ１０）。管理装置４からデータ送信要求指令が送られていない場合、制御部１８は、今回のデータ検知／送信処理を終了する。一方、管理装置４からデータ送信要求指令が送られてきている場合、制御部１８は、データの記憶部Ｍ（１）〜Ｍ（６）の内容を送信バッファにセットし（ステップＡ１１）（図１８参照）、送信バッファにセットした送信データを管理装置４に送信し（ステップＡ１２）、今回のデータ検知／送信処理を終了する。
【００４０】
無線リーダ３は、管理装置４に対して送信する送信データは６個分（データの個数として６個分の意味）の大きさを有する１つの文字列として送信する。図１８は、無線リーダ３から管理装置４に対して送信される送信データの具体例である。図１８では、送信データはリモコン装置６によって送信された１つのデータと、リストバンド１０から送信された１つのデータと、表示プレート９によって送信された１つの送信データとを含んでいること示している。なお、データなしは、送信データなし（＝「０」）を表している。
【００４１】
次に、実施形態において、管理装置４のＣＰＵが実行する無線リーダ３から送信された送信データに応じた処理について説明する。図１０は、実施形態において管理装置４の制御部のＣＰＵが実行する無線リーダ３からの送信データに応じた処理のメインルーチンを示すフローチャートである。当該処理のメインルーチンを開始すると、ＣＰＵは、まず、無線リーダとの通信タイミングであるか否かを判断する（ステップＳ０１）。ここで、無線リーダとの通信タイミングとは、予め設定された通信タイミングであり、無線リーダ３がデータを０．５秒毎に受信していることに基づき、例えば、０．５秒毎に定められているものとする。無線リーダとの通信タイミングでなければ、ステップＳ０１を偽と判定する処理を繰り返す。
【００４２】
一方、無線リーダとの通信タイミングである場合、ＣＰＵは、ステップＳ０１を真と判定すると、まず、ＣＰＵは、全リーダ分（リーダ番号「１番」〜「Ｎ番」）の今回受信データファイルの各レコードＤ（１）〜Ｄ（Ｎ）の内容を前回受信データファイルの各レコードＢ（１）〜Ｂ（Ｎ）に転送する（ステップＳ０２）（図２１参照）。次いで、今回受信データファイルの各レコードＤ（１）〜Ｄ（Ｎ）を０クリアする（ステップＳ０３）。次に、ＣＰＵは、全無線リーダとの通信処理を行い（ステップＳ０４）、全無線リーダから送信された送信データをリーダ番号毎に記憶する（図１９参照）。次に、ＣＰＵは受信データの並べ替え処理を行い（ステップＳ０５）、図１９に示す受信データファイルにおける各データを、台番号、リモコン装置のデータ、表示プレートのデータ、リストバンドのデータの順に並べ替えをして今回受信データファイルの各レコードＤ（１）〜Ｄ（Ｎ）にデータを記憶する（図２２参照）。次に、新たなデータの検出処理を行い（ステップＳ０６）、新たに送信されたデータを検出し、ステップＳ０７に進み、正規の制御動作の判定実行処理を行い、正規／正規でないの別に対応して台番号の遊技台に対し予め定められた制御動作を実行する（ステップＳ０７）。一例として、何れかの係員の操作者情報と共にリモコン装置６による制御動作の内容「２」が検知された場合であれば、「何番台、ラッキーナンバー、スタート」と音声合成で、店内放送する。正規の制御動作の判定実行処理を終えるとステップＳ０１に戻る。ＣＰＵは、以上に述べた処理ルーチンを繰り返す。
【００４３】
図１１は、実施形態において管理装置４のＣＰＵが実行する全無線リーダとの通信処理のサブルーチンを示すフローチャートである。なお、全無線リーダとの通信処理は、管理装置４がポーリングにて、各無線リーダが記憶したデータを受信し、リーダ番号に対応付けして受信したデータを記憶する処理である。全無線リーダとの通信処理を開始すると、まず、ＣＰＵは、無線リーダを指定するためにリーダ番号レジスタＲ１に無線リーダの先頭のリーダ番号をセットする（ステップＳ１１）。
【００４４】
本実施形態においては、１台の遊技台に対して１台の無線リーダが対応付けられているので、遊技台の台番号を無線リーダのリーダ番号としてそのまま用いる。なお、本実施形態では、無線リーダに付与されたリーダ番号は１番（台番号００１）〜Ｎ番（台番号Ｎ）まであるものとする。なお、本実施形態ではリーダ番号の先頭番号は「００１」である。
【００４５】
次いで、ＣＰＵは、無線リーダのリーダ番号と受信したデータの書き込みレコードを指定するためのポインタＱ１に初期値「１」をセットし（ステップＳ１２）、ステップＳ１３に進む。ステップＳ１３に進むと、ＣＰＵは、リーダ番号レジスタＲ１に記憶したリーダ番号の無線リーダにデータ送信要求指令を出力し（ステップＳ１３）、Ｒ１番の無線リーダから送信データが送られてきたか否かを判定する（ステップＳ１４）。
【００４６】
ＣＰＵは、Ｒ１番の無線リーダからデータが送られてこない場合、ステップＳ１４を偽と判定してステップＳ１３に戻る。データ送信要求指令に応じてＲ１番の無線リーダからデータが送られてくると、ＣＰＵは、ステップＳ１４を真と判定し、ステップＳ１５に進み、送られて来たデータを受信し（ステップＳ１５）、ステップＳ１６にて、受信データレコードを生成する（ステップＳ１６）。次いで、受信したデータを生成レコードに記憶し（ステップＳ１７）、リーダ番号レジスタＲ１に記憶されたリーダ番号を生成レコードに記憶し（ステップＳ１８）、生成レコードを受信データファイルＪＤのポインタＱ１の値で指定されるレコードに格納し（ステップＳ１９）、ステップＳ２０に進む。
【００４７】
図１９は、管理装置４のメモリに設定されているリーダ番号００１（先頭番号）〜リーダ番号Ｎ（最終番号）までの無線リーダから今回送信されたデータとリーダ番号とを対応付けて格納した受信データファイルＪＤを示す図である。受信データは、図１８に示した無線リーダ３から管理装置４に送信するデータと同じ形式であり、６個分（データの個数として６個分の意味）の大きさを有する１つの文字列として記憶される。なお、本実施形態の場合、１つの送信データは、例えば、「ＩＤ０００１」（リストバンドの例）、「ＲＣ００１１」（リモコン装置の例）、「ＰＬ０００１」（表示プレートの例）、「００００００」（データなしの場合）のように全て６文字のデータで構成されている。
【００４８】
ステップＳ２０に進むと、リーダ番号と受信したデータの書き込みレコードを指定するポインタＱ１の値を＋１し（ステップＳ２０）、リーダ番号レジスタＲ１に記憶されたリーダ番号を１つアップする（ステップＳ２１）。次いで、更新アップしたリーダ番号レジスタＲ１のリーダ番号が無線リーダの最終番号（この実施形態ではＮ）を超えたか否かを判定し（ステップＳ２２）、リーダ番号レジスタＲ１のリーダ番号が最終番号Ｎを超えていなければ、ステップＳ１３に戻り、更新アップしたリーダ番号で指定される次の無線リーダに対して、上記と同様の処理を行う。
【００４９】
ＣＰＵは、以上の処理ルーチンを繰り返すことで、先頭番号（００１）から最終番号（Ｎ番）までのデータを順次受信してリーダ番号と共に受信データファイルＪＤに格納していく。リーダ番号レジスタＲ１のリーダ番号が最終番号Ｎを超えると、ステップＳ２２を真と判定し、当該サブルーチンを抜けて図１０のメインルーチンに戻り、ステップＳ０５の受信データの並べ替え処理に進む。
【００５０】
図１２乃至図１３は、実施形態において管理装置４のＣＰＵが実行する受信データの並べ替え処理のサブルーチンを示すフローチャートである。ＣＰＵは、受信データの並べ替え処理において、図１９に示す受信データファイルにおける１つのレコードの各データを、リーダ番号、リモコン装置のデータ（以下、リモコンデータという）、表示プレートのデータ（以下、プレートデータという）、リストバンドのデータ（以下、リストバンドデータという）の順に並べ替えをして今回受信データファイルの各レコードＤ（１）〜Ｄ（Ｎ）にデータを記憶する。受信データの並べ替え処理を開始すると、ＣＰＵは、受信データファイルにおける読み出しレコードと今回受信データファイルの書き込みレコードを指定するポインタＱ１に初期値「１」をセットし（ステップＳ３１）、ステップＳ３２に進む。
【００５１】
ステップＳ３２に進むと、ＣＰＵは，ポインタＱ１の値で指定される受信データファイルのレコードＪＤ（Ｑ１）を読み出す（ステップＳ３２）。次に、今回受信データのレコードを生成し（ステップＳ３３）、生成したレコードを０クリアする（ステップＳ３４）。次いで、読み出した受信データファイルのレコードＪＤ（Ｑ１）のリーダ番号を生成レコードに記憶し（ステップＳ３５）、受信データファイルのレコードＪＤ（Ｑ１）における受信したデータ６個分における１番目のデータ、２番目のデータ、・・・、６番目のデータを順番に指定するための順番レジスタｉに初期値「１」をセットし（ステップＳ３６）、ステップＳ３７に進む。
【００５２】
図１９に示すように、受信データファイルの１つのレコードにおけるデータは、データ６個分の大きさを有する１つの文字列として記憶されている。また、データの内容は、「０」であれば「データなし」、リモコン装置によるデータの場合であればデータの先頭２文字が「ＲＣ」、表示プレートによるデータの場合であればデータの先頭２文字が「ＰＬ」、リストバンドによるデータ（操作者情報）の場合であればデータの先頭２文字が「ＩＤ」のうちのいずれか１つとなる。また、６個分のデータの中に、リモコン装置によるデータ、表示プレートによるデータ、リストバンドによるデータがそれぞれ１つ見つかる場合、この６個分のデータの中には見つかった種類（リモコン装置又は表示プレート又はリストバンド）のデータは他にないものとして扱う。
【００５３】
ステップＳ３７に進むと、受信データファイルのレコードＪＤ（Ｑ１）におけるｉ番目のデータをレジスタＡ１に読み出す（ステップＳ３７）。ステップＳ３７を行うと、まず、レジスタＡ１に記憶されたデータの先頭２文字が「ＲＣ」であるか否か判定する（ステップＳ３８）。即ち、レジスタＡ１に記憶されたデータがリモコン装置によって送信されたものであるか否かを判定する。
【００５４】
レジスタＡ１に記憶されたデータの先頭２文字が「ＲＣ」である場合、レジスタＡ１に記憶されたデータがリモコン装置によって送信されたものであることになり、ステップＳ３８を真と判定し、ステップＳ３９に進む。ステップＳ３９では、レジスタＡ１に記憶されたデータの末尾が「０（制御動作なし）」であるか否かを判定する（ステップＳ３９）。データの末尾が「０（制御動作なし）」である場合は、スイッチＡ及びスイッチＢが操作されていないリモコン装置が検出されたこと示しているので（即ち、リモコン装置による操作は行われていない）、このデータを無視する。従って、ステップＳ３９を真と判定してステップＳ４５にジャンプする。
【００５５】
一方、ステップＳ３９において、データの末尾が「０（制御動作なし）」ではない場合には、リモコン装置による新たな操作内容は、今回の送信されたデータの末尾が「１（扉開放）」、「２（ラッキーナンバーの店内放送）」の何れかとなる。ＣＰＵは、ステップＳ３９を偽と判定し、ステップＳ４０に進む。ステップＳ４０に進むと、レジスタＡ１に記憶されたデータを生成レコードの所定の領域（リーダ番号の次に設定された記憶領域）に記憶し（ステップＳ４０）、ステップＳ４５に進む。
【００５６】
一方、ステップＳ３８において、レジスタＡ１に記憶されたデータの先頭２文字が「ＲＣ」でない場合には、レジスタＡ１に記憶されたデータは、「データなし」あるいは「表示プレートによるデータ」あるいは「リストバンドによるデータ」の何れかであることになる。この場合、ステップＳ３８を偽と判定してステップＳ４１に進む。
【００５７】
ステップＳ４１では、レジスタＡ１に記憶されたデータの先頭２文字が「ＰＬ」であるか否か判定する（ステップＳ４１）。即ち、レジスタＡ１に記憶されたデータが表示プレートによって送信されたものであるか否かを判定する。レジスタＡ１に記憶されたデータの先頭２文字が「ＰＬ」である場合、レジスタＡ１に記憶されたデータが表示プレートによって送信されたものであることになり、ステップＳ４１を真と判定してステップＳ４２に進み、レジスタＡ１に記憶されたデータを生成レコードの所定の領域（リモコン装置のデータの次に設定された記憶領域）に記憶し（ステップＳ４２）、ステップＳ４５に進む。
【００５８】
一方、ステップＳ４１において、レジスタＡ１に記憶されたデータの先頭２文字が「ＰＬ」でない場合には、レジスタＡ１に記憶されたデータは、「データなし」あるいは「リストバンドによるデータ」の何れかであることになる。この場合、ステップＳ４１を偽と判定してステップＳ４３に進む。ステップＳ４３では、レジスタＡ１に記憶されたデータの先頭２文字が「ＩＤ」であるか否か判定する（ステップＳ４３）。即ち、レジスタＡ１に記憶されたデータがリストバンドから送信されたものであるか否かを判定する。レジスタＡ１に記憶されたデータの先頭２文字が「ＩＤ」である場合、レジスタＡ１に記憶されたデータがリストバンドから送信されたものであることになり、ステップＳ４３を真と判定してステップＳ４４に進み、レジスタＡ１に記憶されたデータを生成レコードの所定の領域（表示プレートのデータの次に設定された記憶領域）に記憶し（ステップＳ４４）、ステップＳ４５に進む。一方、ステップＳ４３において、レジスタＡ１に記憶されたデータの先頭２文字が「ＩＤ」でない場合には、レジスタＡ１に記憶されたデータは、「データなし」であることになる。この場合には、ステップＳ４３を偽と判定してステップＳ４５にジャンプする。
【００５９】
ステップＳ４５に進むと、順番レジスタｉの値を１つアップし（ステップＳ４５）、アップした順番レジスタｉの値がデータの記憶数「６」を超えているか否かを判定し（ステップＳ４６）、順番レジスタｉの値が送信データの記憶数「６」を超えていなければ、ステップＳ４６を偽と判定してステップＳ３７に戻り、受信データファイルのレコードＪＤ（Ｑ１）におけるｉ番目の（即ち、次の）データをレジスタＡ１に読み出し（ステップＳ３７）、レジスタＡ１に記憶されたデータが、リモコン装置によって送信されたものであるか否か、表示プレートによって送信されたものであるか否か、リストバンドによって送信されたものであるか否か、を順次判定し、該当する場合には、レジスタＡ１に記憶されたデータを生成レコードの所定の領域に記憶する。
【００６０】
以上に述べた処理ルーチンを繰り返し、受信データファイルのレコードＪＤ（Ｑ１）における６番目のデータについて上記判定を行ってステップＳ４５で順番レジスタｉの値を１つアップして「７」とすると、ステップＳ４６を真と判定してステップＳ４７に進む。ステップＳ４７に進むと、ＣＰＵは、生成レコードを今回受信データファイルＤのポインタＱ１の値で指定されるレコードに格納する（ステップＳ４７）。これにより、リモコン装置による操作が行われた場合、表示プレートが差し込まれた場合、リストバンドを検出した場合、これらから送信されたデータを受信した無線リーダのリーダ番号と無線リーダから送信された送信データが今回受信データファイルＤに記憶される。
【００６１】
また、リモコン装置による操作が行われなかった場合には、「データなし」を表す値「０」がレコードの所定の領域（リモコン装置のデータの記憶領域）に記憶され、今回受信データファイルＤに記憶される。同様に、表示プレートからのデータが検出されなかった場合には、「データなし」を表す値「０」がレコードの所定の領域（表示プレートのデータの記憶領域）に記憶され、今回受信データファイルＤに記憶される［図２２の（ｂ）参照］。リストバンドによるデータが検出されなかった場合には、「データなし」を表す値「０」がレコードの所定の領域（リストバンドのデータの記憶領域）に記憶され、今回受信データファイルＤに記憶される［図２２の（ｃ）参照］。
【００６２】
ステップＳ４７を行うと、読み出したレコードＪＤ（Ｑ１）のリーダ番号が最終番号Ｎであるか否かを判定する（ステップＳ４８）。リーダ番号が最終番号Ｎでなければ、ステップＳ４８を偽と判定し、受信データファイルの読み出しレコードＪＤ（Ｑ１）を指定するポインタＱ１の値を＋１し（ステップＳ４９）、ステップＳ３２に戻り、受信データファイルからアップしたポインタＱ１の値で指定される次のレコードＪＤ（Ｑ１）を読み出す。
【００６３】
以上に述べた処理ルーチンを繰り返し、受信データファイルの全レコードについてリモコン装置によるデータ、表示プレートによるデータ、リストバンドによるデータが含まれているかを確認して今回受信データファイルＤを更新する。そして、最終番号Ｎについての受信データファイルのレコードを確認し終えると、ステップＳ４８にて、リーダ番号が最終番号Ｎであると判定し、即ち、ステップＳ４８を真と判定し、当該サブルーチンを抜けてメインルーチンに戻り、ステップＳ０６の新たなデータの検出処理に進む。
【００６４】
図１４乃至図１５は、実施形態において管理装置４のＣＰＵが実行する新たなデータの検出処理のサブルーチンを示すフローチャートである。新たなデータの検出処理において、前回受信データファイルの各レコードＢ（１）〜Ｂ（Ｎ）と更新した今回受信データファイルの各レコードＤ（１）〜Ｄ（Ｎ）とから、リモコン装置による新たな制御動作情報及び／又は、表示プレートの差し込みによる新たな制御動作情報を検出した無線リーダについて、検出データファイルＤＭを作成する（図２３参照）。なお、検出データファイルのデータ構成は、リーダ番号、リモコンデータ、プレートデータ、リストバンドデータの順に記憶領域が設定されている。
【００６５】
新たなデータの検出処理を開始すると、まず、ＣＰＵは、前回リモコンデータファイル並びに今回リモコンデータファイルの読み出しレコードを指定するためのポインタＱ１に初期値「１」をセットし（ステップＳ５１）、検出データファイルＤＭの件数をカウントするカウンタであって、検出データファイルＤＭの書き込みレコードを指定するためのポインタを兼ねる件数カウンタＣ１を０クリアし（ステップＳ５２）、ステップＳ５３に進み、ポインタＱ１の値で指定される前回受信データファイルのレコードＢ（Ｑ１）から前回リモコンデータをレジスタＸ１に読み出す（ステップＳ５３）。
【００６６】
次いで、レジスタＸ１に読み出した前回リモコンデータが「０（データなし）」であるか否かを判別する（ステップＳ５４）。前回リモコンデータが「０（データなし）」ではない場合、ステップＳ５４を偽と判定し、即ち、前回リモコンデータが記憶されている場合、当該無線リーダにより前回はリモコン装置によるデータが検出されていたことになるので、今回新たなデータが検出された可能性はないと判定し、ステップＳ６１にジャンプする。
【００６７】
一方、レジスタＸ１に読み出した前回リモコンデータが「０（データなし）」である場合、ステップＳ５４を真と判定し、即ち、データなしが記憶されている場合、前回はリモコン装置によるデータが検出されていなかったことになるので、今回リモコン装置による新たなデータが検出された可能性があると判定し、ステップＳ５５に進む。次に、ＣＰＵは、ポインタＱ１の値で指定される今回受信データファイルのレコードＤ（Ｑ１）から今回リモコンデータをレジスタＸ２に読み出す（ステップＳ５５）。
【００６８】
次いで、レジスタＸ２に読み出した今回リモコンデータが「０（データなし）」であるか否かを判定する（ステップＳ５６）。レジスタＸ２に読み出した今回リモコンデータが「０（データなし）」である場合、今回はリモコン装置によるデータが検出されていなかったことになるので、ステップＳ５６を真と判定してステップＳ６１にジャンプする。
【００６９】
一方、ステップＳ５６にて、レジスタＸ２に読み出した今回リモコンデータが「０（データなし）」ではない場合、ステップＳ５６を偽と判定してステップＳ５７に進む。この場合には、当該無線リーダについて、前回リモコンデータがデータなしを表すデータ「０」であり、かつ今回リモコンデータが実質的に検出されたことになるため、今回リモコン装置による新たなデータが検出されたと判定する。
【００７０】
ステップＳ５７に進むと、検出フラグに「１（検出あり）」をセットし（ステップＳ５７）、検出データレコードを生成し（ステップＳ５８）、フローチャートには示していないが生成レコードを０クリアする。次に、ポインタＱ１の値で指定される今回受信データファイルのレコードＤ（Ｑ１）のリーダ番号を生成レコードに記憶し（ステップＳ５９）、レジスタＸ２に読み出した今回リモコンデータを生成レコードに記憶し（ステップＳ６０）、ステップＳ６１に進む。以上の説明から明らかなように、今回リモコン装置による新たなデータが検出された場合に、検出フラグに「１（検出あり）」がセットされる。
【００７１】
ステップＳ６１に進むと、ポインタＱ１の値で指定される前回受信データファイルのレコードＢ（Ｑ１）から前回プレートデータをレジスタＹ１に読み出す（ステップＳ６１）。次いで、レジスタＹ１に読み出した前回プレートデータが「０（データなし）」であるか否かを判別する（ステップＳ６２）。前回プレートデータが「０（データなし）」ではない場合、ステップＳ６２を偽と判定し、即ち、前回プレートデータが記憶されている場合、当該無線リーダにより前回は表示プレートによるデータが検出されていたことになるので、今回新たなデータが検出された可能性はないと判定し、ステップＳ７４にジャンプする。
【００７２】
一方、レジスタＹ１に読み出した前回プレートデータが「０（データなし）」である場合、ステップＳ６２を真と判定し、即ち、データなしが記憶されている場合、前回は表示プレートによるデータが検出されていなかったことになるので、今回表示プレートによる新たなデータが検出された可能性があると判定し、ステップＳ６３に進む。次に、ＣＰＵは、ポインタＱ１の値で指定される今回受信データファイルのレコードＤ（Ｑ１）から今回プレートデータをレジスタＹ２に読み出す（ステップＳ６３）。
【００７３】
次いで、レジスタＹ２に読み出した今回プレートデータが「０（データなし）」であるか否かを判定する（ステップＳ６４）。レジスタＹ２に読み出した今回プレートデータが「０（データなし）」である場合、今回は表示プレートによるデータが検出されていなかったことになるので、ステップＳ６４を真と判定してステップＳ７４にジャンプする。
【００７４】
一方、ステップＳ６４にて、レジスタＹ２に読み出した今回プレートデータが「０（データなし）」ではない場合、ステップＳ６４を偽と判定してステップＳ６５に進む。この場合には、当該無線リーダについて、前回プレートデータがデータなしを表すデータ「０」であり、かつ今回プレートデータが実質的に検出されたことになるため、今回表示プレートによる新たなデータが検出されたと判定する。
【００７５】
ステップＳ６５に進むと、検出フラグの値が「１（検出あり）」であるか否か、即ち、前段の処理において、今回リモコン装置による新たなデータが検出されたか否かを判定する（ステップＳ６５）。検出フラグの値が「１（検出あり）」である場合、既に、検出データレコードが生成され、生成されたレコードにリーダ番号と今回リモコンデータが記憶されているため、ステップＳ６８にジャンプし、レジスタＹ２に読み出した今回プレートデータを生成レコードに記憶し（ステップＳ６８）、ステップＳ６９に進む。
【００７６】
一方、ステップＳ６５にて、検出フラグの値が「１（検出あり）」でない場合、ステップＳ６５を偽と判定し、ステップＳ６６に進み、検出データレコードを生成し（ステップＳ６６）、フローチャートには示していないが生成レコードを０クリアする。次いで、ポインタＱ１の値で指定される今回受信データファイルのレコードＤ（Ｑ１）のリーダ番号を生成レコードに記憶し（ステップＳ６７）、レジスタＹ２に読み出した今回プレートデータを生成レコードに記憶し（ステップＳ６８）、ステップＳ６９に進む。
【００７７】
ステップＳ６９に進むと、ポインタＱ１の値で指定される今回受信データファイルのレコードＤ（Ｑ１）から今回リストバンドデータをレジスタＹ３に読み出す（ステップＳ６９）。次いで、レジスタＹ３に読み出した今回リストバンドデータを生成レコードに記憶し（ステップＳ７０）、ステップＳ７１に進む。次に、件数カウンタＣ１の値を＋１し（ステップＳ７１）、生成レコードを検出データファイルのカウンタ（ポインタ）Ｃ１の値で指定されるレコードに格納する（ステップＳ７２）。ステップＳ７２を終えるとステップＳ７３に進み、検出フラグを０クリアし（ステップＳ７３）、ステップＳ７５に進む。
【００７８】
一方、ステップＳ６２を偽と判定してステップＳ７４にジャンプする場合、並びに、ステップＳ６４を真と判定してステップＳ７４にジャンプする場合、即ち、今回表示プレートによる新たなデータが検出された可能性はないと判定した場合、ステップＳ７４にて、検出フラグの値が「１（検出あり）」であるか否か、即ち、前段の処理において、今回リモコン装置による新たなデータが検出されたか否かを判定する（ステップＳ７４）。検出フラグの値が「１（検出あり）」である場合、既に、検出データレコードが生成され、生成されたレコードにリーダ番号と今回リモコンデータが記憶されているため、ステップＳ７４を真と判定してステップＳ６９にジャンプし、ポインタＱ１の値で指定される今回受信データファイルのレコードＤ（Ｑ１）から今回リストバンドデータをレジスタＹ３に読み出す（ステップＳ６９）。次いで、レジスタＹ３に読み出した今回リストバンドデータを生成レコードに記憶する（ステップＳ７０）。以下、ステップＳ７１〜ステップＳ７３を順に実行してステップＳ７５に進む。
【００７９】
また、ステップＳ７４にて、検出フラグの値が「１（検出あり）」でないと判定した場合、すなわち、この場合は、今回リモコン装置による新たなデータが検出された可能性はないと判定し、かつ今回表示プレートによる新たなデータが検出された可能性はないと判定した場合となるのであるが、ステップＳ７４を偽と判定し、ステップＳ７５に進む。
【００８０】
ステップＳ７５に進むと、ＣＰＵは、読み出した前回受信データファイルのレコードＢ（Ｑ１）のリーダ番号が無線リーダの最終番号Ｎであるか否かを判定し（ステップＳ７５）、リーダ番号が最終番号Ｎでなければ、ポインタＱ１の値を＋１し（ステップＳ７６）、ステップＳ５３に戻り、更新アップしたポインタＱ１で指定される前回受信データファイルの次のレコードを読み出す。
【００８１】
以上に述べた処理ルーチンを繰り返し、前回受信データファイル並びに今回受信データファイルの全レコードについてリモコン装置による新たなデータ並びに表示プレートによる新たなデータを検出し、検出データファイルＤＭを作成する（図２３参照）。以上の説明から明らかなように、リモコン装置による新たなデータが検出された場合、及び／又は表示プレートによる新たなデータが検出された場合のみ、即ち、制御動作情報送信手段による新たな制御動作情報が検出された場合にのみ、無線リーダのリーダ番号とリモコンデータ及び／又はプレートデータと、リストバンドデータとが検出データファイルＤＭに格納される。従って、リモコン装置による新たなデータが検出されず、かつ表示プレートによる新たなデータも検出されない場合は、検出データファイルＤＭにはデータは格納されない。
【００８２】
そして、ステップＳ７５にて、リーダ番号が最終番号Ｎであると判定すると、即ち、ステップＳ７５を真と判定すると、当該サブルーチンを抜けてメインルーチンに戻り、ステップＳ０７の正規の制御動作の判定実行処理に進む。
【００８３】
図１６は、実施形態において管理装置４のＣＰＵが実行する正規の制御動作の判定実行処理のサブルーチンを示すフローチャートである。正規の制御動作の判定実行処理を開始すると、まず、ＣＰＵは、件数カウンタＣ１の値が「０（データ検出なし）」であるか否かを判定する（ステップＳ８１）。件数カウンタＣ１の値が「０」である場合、前述の新たなデータの検出処理にて制御動作情報送信手段による新たなデータが１つも検出されなかったことになる。この場合は、ステップＳ８１を真と判定し、正規の制御動作の判定実行処理を抜けてメインルーチンに戻る。したがって、制御動作情報送信手段による新たなデータが１つも検出されなかったのであるから、制御動作は実行しない。
【００８４】
件数カウンタＣ１の値が「０」でない場合、前述の新たなデータの検出処理にて制御動作情報送信手段による新たなデータが少なくとも１つは検出されたことになる。この場合は、ステップＳ８１を偽と判定しステップＳ８２に進む。ＣＰＵは、検出データファイルの読み出しレコードを指定するためのポインタＱ２に初期値「１」をセットし（ステップＳ８２）、ステップＳ８３に進み、ポインタＱ２の値で指定される検出データファイルのレコードＤＭ（Ｑ２）を読み出す（ステップＳ８３）。次いで、読み出した検出データファイルのレコードＤＭ（Ｑ２）のリーダ番号をレジスタＡ１に読み出す（ステップＳ８４）。なお、本実施形態においては、１台の遊技台に対応して無線リーダ３を１つ設けてあるので、正規の制御動作の判定実行処理にあっては、リーダ番号をそのまま台番号に読み替えるものとする。さらに、読み出した検出データファイルのレコードＤＭ（Ｑ２）のリモコンデータをレジスタＸ１に読み出し（ステップＳ８５）、レコードＤＭ（Ｑ２）のプレートデータをレジスタＹ１に読み出し（ステップＳ８６）、レコードＤＭ（Ｑ２）のリストバンドデータをレジスタＺ１に読み出し（ステップＳ８７）、ステップＳ８８の制御動作処理を行う。なお、制御動作処理については後述する。
【００８５】
ステップＳ８８の制御動作処理を終えると、ポインタＱ２の値を＋１し（ステップＳ８９）、ポインタＱ２の値が件数カウンタＣ１の値を超えているか否かを判定し（ステップＳ９０）、ポインタＱ２の値が件数カウンタＣ１の値を超えていなければ、ポインタＱ２の値で指定される検出データファイルの次のレコードＤＭ（Ｑ２）を読み出す（ステップＳ８３）。以上に述べた処理ルーチンを繰り返し、作成した検出データファイルの全レコードについて、新たに検出した制御動作情報に対応した制御動作を実行する。そして、ステップＳ９０にて、ポインタＱ２の値が件数カウンタＣ１の値を超えたと判定すると、正規の制御動作の判定実行処理を抜けてメインルーチンに戻る。
【００８６】
図１７は、管理装置４のＣＰＵが実行する制御動作処理のサブルーチンを示すフローチャートである。制御動作処理を開始すると、レジスタＸ１に読み出したリモコンデータが「０（データなし）」であるか否かを判定する（ステップＢ０１）。レジスタＸ１に読み出したリモコンデータが「０（データなし）」と判定した場合はステップＢ０９にジャンプする。一方、ステップＢ０１にて、レジスタＸ１に読み出したリモコンデータが「０（データなし）」と判定した場合はステップＢ０２に進む。この場合は、リモコンデータは「ＲＣ＊＊＊Ｘ」の形式であることになる。
【００８７】
ステップＢ０２では、レジスタＸ１に読み出したリモコンデータの末尾（Ｘに相当する部分）が「２（ラッキーナンバーである旨の店内放送）」であるか否かを判定する（ステップＢ０２）。即ち、リモコン装置６によるスイッチ操作がスイッチＡをオンした「ラッキーナンバーである旨の店内放送」であるか否かを判定する。ステップＢ０２にて、リモコンデータの末尾の値が「２」であると判定した場合はステップＢ０３に進み、レジスタＺ１に読み出したリストバンドデータの値が「０（データなし）」であるか否かを判定する（ステップＢ０３）。
【００８８】
ステップＢ０３にて、レジスタＺ１に読み出したリストバンドデータの値が「０（データなし）」ではないと判定した場合は、遊技場の従業員が装着したリストバンドからのリストバンドデータ（操作者情報）とリモコン装置６による制御動作情報との両方が一緒に検知されたことになり、遊技場の従業員によってリモコン装置が操作されたものと認められる。したがって、正規の（リモコン）操作であると判定する。正規の操作であると判定した場合、ステップＢ０４に進み、レジスタＡ１に読み出したリーダ番号（同一の番号を使用しているため台番号に読み替える）の遊技台の「ラッキーナンバー、スタート」を音声合成で出力し（ステップＢ０４）、ステップＢ０９に進む。台番号が例えば、「１００」である場合、店内放送装置を通じて、店内の所定箇所に配置されたスピーカから「１００番台、ラッキーナンバー、スタート」と店内放送される。
【００８９】
一方、ステップＢ０３にて、レジスタＺ１に読み出したリストバンドデータの値が「０（データなし）」であると判定した場合は、リモコン装置６による制御動作情報のみが検知されたことになり、遊技場の従業員以外の何者かによってリモコン装置が操作されたものと認められるため、正規の（リモコン）操作でないと判定する。正規の（リモコン）操作でないと判定した場合はステップＢ０４における制御動作は実行せず、直接ステップＢ０９にジャンプする。
【００９０】
また、ステップＢ０２において、リモコンデータの末尾の値が「２」でないと判定した場合はステップＢ０５に進む。ステップＢ０５に進む場合は、消去法の考え方からリモコンデータの末尾は「１（扉開放）」であることになる。即ち、リモコン装置６によるスイッチ操作がスイッチＢをオンした「扉開放」であることになる。ステップＢ０５では、レジスタＺ１に読み出したリストバンドデータの値が「０（データなし）」であるか否かを判定する（ステップＢ０５）。
【００９１】
前述と同様の理由から、ステップＢ０５にて、レジスタＺ１に読み出したリストバンドデータの値が「０（データなし）」ではないと判定した場合は、正規の（リモコン）操作であると判定する。正規の操作であると判定した場合、ステップＢ０６に進む。ステップＢ０６では、レジスタＺ１に読み出したリストバンドデータの値が予め定めてある特定の操作者番号であるか否かを判定する（ステップＢ０６）。なお、リストバンドデータは「ＩＤ＊＊＊＊」の形式であり、「＊＊＊＊」の部分が操作者毎に異なる４桁の操作者番号（操作者コード又は操作者ＩＤ等ともいう）が付与されている。例えば、特定の操作者番号を「００００」〜「４９９９」に予め定め、管理装置４のメモリに記憶させておく。ステップＢ０６の処理では、メモリを参照し、レジスタＺ１に読み出したリストバンドデータの値の４桁の操作者番号が「００００」〜「４９９９」の範囲に属すると判定した場合、特定の操作者番号であると判定することになる。ステップＢ０６にて、リストバンドデータは特定の操作者番号であると判定した場合は、ステップＢ０７に進み、レジスタＡ１に読み出したリーダ番号（台番号に読み替える）の遊技台に対して扉開放信号を出力し（ステップＢ０７）、ステップＢ０９に進む。これにより、リモコン操作を行った台番号の遊技台において、従来周知の扉開閉機構が作動し、扉が開放される。
【００９２】
一方、ステップＢ０６にて、上述の例のように、レジスタＺ１に読み出したリストバンドデータの値の４桁の操作者番号が「００００」〜「４９９９」の範囲に属しないと判定した場合、特定の操作者番号でないと判定することになる。ステップＢ０６にて、リストバンドデータは特定の操作者番号でないと判定した場合は、ステップＢ０８に進み、例えば、レジスタＡ１に読み出したリーダ番号（台番号に読み替える）の遊技台へ係員を向わせる旨を音声合成で出力し（ステップＢ０８）、ステップＢ０９に進む。台番号が例えば、「１００」である場合、店内放送装置を通じて、店内の所定箇所に配置されたスピーカから「係員の方、１００番台へお回りください」と店内放送される。
【００９３】
以上に説明したように、リモコン装置６を用いて同じ操作を行っても、操作者によって異なる制御動作を行わせることができる。例えば、玉詰まり等のために、上述のようにリモコン装置６によりスイッチＢがオンされたとき、ベテラン店員（上記特定の操作者番号が付与されている）の場合はガラス扉を開放する制御動作を行い、見習い店員（上記特定の操作者番号以外の操作者番号が付与されている）の場合は、「係員の方、○○○番台へお回りください」と店内放送し、ベテラン店員を呼び出すようにすることができる。すなわち、リストバンドのＩＤタグの操作者番号から、ベテラン店員と見習い店員とを特定できるように、管理装置４のメモリに設定記憶させておく。なお、操作者番号の設定は、任意に変更できるようにしておく。このようにすると、例えば、ベテラン店員によるリモコン操作であると特定できるため、信用性をより高めることになる。
【００９４】
一方、ステップＢ０５にて、レジスタＺ１に読み出したリストバンドデータの値が「０（データなし）」であると判定した場合は、前述と同様の理由により、正規の（リモコン）操作でないと判定する。正規の操作でないと判定した場合は、ステップＢ０７及びステップＢ０８の制御動作は実行せず、直接ステップＢ０９にジャンプする。
【００９５】
ステップＢ０９に進むと、レジスタＹ１に読み出したプレートデータが「０（データなし）」であるか否かを判定する（ステップＢ０９）。なお、先に説明したように、検出データファイルのレコードは、リモコンデータとプレートデータのうち何れか一方が少なくとも存在する場合（リモコンデータとプレートデータとの両方が存在する場合も含まれる）にのみデータの格納がなされるため、ステップＢ０１にて、リモコンデータが「０（データなし）」と判定した場合は必然的にプレートデータは存在することになる。一方、ステップＢ０１にて、リモコンデータが「０（データなし）」でない判定した場合は、プレートデータは存在しない場合がある。
【００９６】
ステップＢ０９にて、レジスタＹ１に読み出したプレートデータが「０（データなし）」であると判定した場合、制御動作処理のサブルーチンを抜けて正規の制御動作の判定実行処理にリターンする。
【００９７】
一方、ステップＢ０９にて、レジスタＹ１に読み出したプレートデータが「０（データなし）」でないと判定した場合はステップＢ１０に進む。この場合は、プレートデータは「ＰＬ＊＊＊＊」の形式であることになる。ステップＢ１０では、レジスタＺ１に読み出したリストバンドデータの値が「０（データなし）」であるか否かを判定する（ステップＢ１０）。前述と同様の理由から、ステップＢ０５にて、レジスタＺ１に読み出したリストバンドデータの値が「０（データなし）」ではないと判定した場合は、係員により表示プレート９が差し込まれたと認められ、正規の（リモコン）操作であると判定する。正規の操作であると判定した場合、ステップＢ１１に進み、レジスタＡ１に読み出したリーダ番号（台番号に読み替える）の遊技台の「ラッキーナンバー、スタート」を音声合成で出力し（ステップＢ１１）、制御動作処理のサブルーチンを抜けて正規の制御動作の判定実行処理にリターンする。台番号が例えば、「１００」である場合、店内放送装置を通じて、店内の所定箇所に配置されたスピーカから「１００番台、ラッキーナンバー、スタート」と店内放送される。
【００９８】
一方、ステップＢ１０にて、レジスタＺ１に読み出したリストバンドデータの値が「０（データなし）」であると判定した場合は、表示プレート９による制御動作情報のみが検知されたことになり（図２３のリーダ番号「５００」のデータを参照）、遊技場の従業員以外の者、例えば、遊技者が不正に隣の遊技台などに表示プレートを移動させたことよってプレートデータが検知されたものと認められるため、正規の操作でないと判定する。正規の操作でないと判定した場合はステップＢ１２に進み、例えば、レジスタＡ１に読み出したリーダ番号（台番号に読み替える）の遊技台へ係員を向わせる旨を音声合成で出力し（ステップＢ１２）、制御動作処理のサブルーチンを抜けて正規の制御動作の判定実行処理にリターンする。台番号が、例えば、「５００」である場合、店内放送装置を通じて、店内の所定箇所に配置されたスピーカから「係員の方、５００番台へお回りください」と店内放送される。これにより、係員は、５００番台の遊技台は正規の遊技状態下で表示プレートが差し込まれているのか否かを確認できる。
【００９９】
以上、本発明の実施形態で説明したように、本発明によれば、リモコン装置に限らず、例えば、表示プレート等、複数の遊技台の各々に関する制御動作情報を無線により送信する汎用の制御動作情報送信手段を用いることができる。また、制御動作情報送信手段による制御動作情報が遊技場の従業員によって行われた正規のものなのか、遊技場の従業員以外の者によって行われた正規でないものなのかを判定できるため、システムの信用性を高めることができる。さらに、同じ遠隔操作装置（リモコン装置６）を使用して同じ操作（例えば、スイッチＢをオン）を行っても、操作者の相違によって異なる制御動作を実行させることができる。また、遊技者等の操作者以外の者が、勝手に表示プレート９を隣の遊技台に移動させた場合、管理装置において、操作者情報は検知されず制御動作情報のみが検知されることになるため、正規の操作でないと判定できる。
【０１００】
以上に説明した実施形態では、無線リーダ３、３、…は各遊技台２、２、…１台に対応して１つずつ設けられている。無線リーダ３は、複数の遊技台２、２、…が１列に並設されてなる遊技設備において、遊技台１台おきに設置してもよい。無線リーダ３を遊技台１台おきに設置する場合、遊技設備の両端の遊技台に対しては無線リーダ３を設置するようにする。例えば、１番台〜５番台の５台で遊技設備が構成されている場合であれば、遊技設備の両端となる遊技台、すなわち、１番台と５番台の遊技台に無線リーダ３を設置し、１番台と５番台の遊技台に対して１台おきとなる３番台の遊技台に無線リーダ３を設置する。したがって、１番台と３番台の遊技台の間の２番台の遊技台、３番台と５番台の遊技台の間の４番台の遊技台には、無線リーダ３は設置されない。
【０１０１】
上述の遊技設備において、無線リーダ３は無線受信範囲は、自己の設置対象の遊技台に隣り合う遊技台に対してリモコン装置６、表示プレート９、リストバンド１０が存在する場合に、これらから送信されたデータを無線受信可能に設定されている。例えば、３番台の遊技台に設置された無線リーダは、自己の設置対象の３番台の遊技台に対してリモコン装置６から送信されたデータを無線受信できるだけでなく、自己の設置対象の遊技台に隣り合う２番台の遊技台並びに４番台の遊技台に対してリモコン装置６から送られたデータも無線受信可能に設定される。
【図面の簡単な説明】
【０１０２】
【図１】本発明の実施形態に係る遊技場の情報管理装置１の要部ブロック図である。
【図２】リストバンド、リモコン装置並びに表示プレートから無線リーダへ送信されるデータの構成を示す図である。
【図３】管理装置のメモリに設けられた操作者番号／操作者名記憶テーブルの一態様を示す図である。
【図４】管理装置のメモリに設けられた操作項目名記憶テーブルの一態様を示す図である。
【図５】リモコン装置に設けられたＩＤタグ及び遊技台に設けられた無線リーダのブロック図である。
【図６】各遊技台に無線リーダを１つずつ設置した実施形態の遊技設備の平面図である。
【図７】図６において遊技台に対応して設置された各無線リーダによって受信されたデータを示す図である。
【図８】無線リーダの記憶部に設定されているデータの記憶部を示す図である。
【図９】実施形態において無線リーダの制御部が実行するデータ検知／送信処理のフローチャートである。
【図１０】実施形態において管理装置の制御部のＣＰＵが実行する無線リーダからの送信データに応じた処理のメインルーチンを示すフローチャートである。
【図１１】実施形態において管理装置のＣＰＵが実行する全無線リーダとの通信処理のサブルーチンを示すフローチャートである。
【図１２】実施形態において管理装置のＣＰＵが実行する受信データの並べ替え処理のサブルーチンの一部を示すフローチャートである。
【図１３】図１２のフローチャートのつづきである。
【図１４】実施形態において管理装置のＣＰＵが実行する新たなデータの検出処理のサブルーチンの一部を示すフローチャートである。
【図１５】図１４のフローチャートのつづきである。
【図１６】実施形態において管理装置のＣＰＵが実行する正規の制御動作の判定実行処理のサブルーチンを示すフローチャートである。
【図１７】実施形態において管理装置のＣＰＵが実行する制御動作処理のサブルーチンを示すフローチャートである。
【図１８】無線リーダから管理装置に送信される送信データを送信するための送信バッファの内容を示す図である。
【図１９】実施形態における管理装置が実行する無線リーダとの通信処理において作成される受信データファイルの記憶内容を示す図である。
【図２０】実施形態において管理装置によって作成される前回受信データファイルの記憶内容を示す図である。
【図２１】実施形態において管理装置によって作成される今回受信データファイルの記憶内容を示す図である。
【図２２】実施形態において受信データの並べ替え処理によって作成される今回受信データファイルのレコードのデータ例を示す図である。
【図２３】実施形態において新たなデータの検出処理によって作成される検出データファイルの記憶内容を示す図である。
【符号の説明】
【０１０３】
１  情報管理装置
２  遊技台
３  無線リーダ
４  管理装置
５  伝送路
６  遠隔操作装置（リモコン装置）［制御動作情報送信手段］
７  ＩＤタグ（ＲＦＩＤ）
８  操作スイッチ
９  表示プレート（制御動作情報送信手段）
１０  操作者情報送信手段（リストバンド或いはカード）
１１  アンテナ
１２  無線通信部
１３  電源部
１４  制御部
１５  記憶部
１６  アンテナ
１７無線通信部
１８  制御部
１９  記憶部
２０  有線通信部
２１  電源部
【図１】
2006116191.tif 000003
【図２】
2006116191.tif 000004
【図３】
2006116191.tif 000005
【図４】
2006116191.tif 000006
【図５】
2006116191.tif 000007
【図６】
2006116191.tif 000008
【図７】
2006116191.tif 000009
【図８】
2006116191.tif 000010
【図９】
2006116191.tif 000011
【図１０】
2006116191.tif 000012
【図１１】
2006116191.tif 000013
【図１２】
2006116191.tif 000014
【図１３】
2006116191.tif 000015
【図１４】
2006116191.tif 000016
【図１５】
2006116191.tif 000017
【図１６】
2006116191.tif 000018
【図１７】
2006116191.tif 000019
【図１８】
2006116191.tif 000020
【図１９】
2006116191.tif 000021
【図２０】
2006116191.tif 000022
【図２１】
2006116191.tif 000023
【図２２】
2006116191.tif 000024
【図２３】
2006116191.tif 000025